(57)【要約】【課題】電源コードの収納スペースが広く、電源コード収納時の作業性がよく、コストの低い扇風機を得ること。【解決手段】モータ１１、ファン１２及びファンガード１３を有する送風機部１４と、前記モータ１１を支持する支柱１５ａと、下方が開放され外周部に互いに離間して複数の低い脚部１５ｂが設けられ、前記支柱１５ａを支持する盤状のスタンドベース部１５ｃと、前記スタンドベース部１５ｃの下面に設置され前記モータ１１を制御する電子回路基板１６と、前記電子回路基板１６及びスタンドベース部１５ｃの下面を覆う底板１７と、前記電子回路基板１６に接続され前記底板１７に形成された開口１７ａを通し前記複数の脚部１５ｂの間から外部に引出される電源コードと、を備える扇風機９１であって、前記開口１７ａの前記脚部１５ｂから周方向に離れた縁部に、前記電源コードを差込んで保持する溝１７ｂを設けた。【選択図】図１
2010203243.tif 000002
【特許請求の範囲】
【請求項１】
モータ、ファン及びファンガードを有する送風機部と、
前記モータを支持する支柱と、
下方が開放され外周部に互いに離間して複数の低い脚部が設けられ、前記支柱を支持する盤状のスタンドベース部と、
前記スタンドベース部の下面に設置され前記モータを制御する電子回路基板と、
前記電子回路基板及びスタンドベース部の下面を覆う底板と、
前記電子回路基板に接続され前記底板に形成された開口を通し前記複数の脚部の間から外部に引出される電源コードと、
を備える扇風機であって、
前記開口の前記脚部から周方向に離れた縁部に、前記電源コードを差込んで保持する溝を設けたことを特徴とする扇風機。
【請求項２】
前記底板の開口の、前記溝が設けられた縁部とは異なる縁部に、切起こし壁を形成し、該切起こし壁に、コード通し口を設け、該コード通し口と前記溝とを結ぶ直線が、前記脚部と交差しないようにしたことを特徴とする請求項１に記載の扇風機。
【請求項３】
モータ、ファン及びファンガードを有する送風機部と、
前記モータを支持する支柱と、
下方が開放され前記支柱を支持する盤状のスタンドベース部と、
前記スタンドベース部の下面に設置され前記モータを制御する電子回路基板と、
前記電子回路基板及びスタンドベース部の下面を覆う底板と、
外周部に互いに離間して複数の低い脚部が設けられ前記底板を覆うように下方から前記スタンドベース部に取付けられるベースと、
前記電子回路基板に接続され前記底板に形成された開口及びベースに形成されたベース開口を通し前記複数の脚部の間から外部に引出される電源コードと、
を備える扇風機であって、
前記ベース開口の前記脚部から周方向に離れた縁部に、前記電源コードを差込んで保持する溝を設けたことを特徴とする扇風機。
【請求項４】
前記底板の開口の中央側の縁部に切起こし壁を形成し、該切起こし壁にコード通し口を設け、該コード通し口と前記ベース開口の溝とを結ぶ直線が、前記ベースの脚部と交差しないようにしたことを特徴とする請求項３に記載の扇風機。
【発明の詳細な説明】
【技術分野】
【０００１】
本発明は、扇風機に関するものであり、詳しくは、電源コードの収納、引出し部の構造に関する。
【背景技術】
【０００２】
従来、扇風機本体に取付けられる底板の凹部にエッジカバーの爪部を嵌合させ、底板取付後にエッジカバーを取付け可能とすることにより、底板及びエッジカバーの自動取付が可能となり、さらにその組立順の変更にも対応でき、また、エッジカバーに、電源コード収納部内へ突出する電源コード固定リブを設け、電源コードの使用時又は収納時に所定位置に固定又は収納できるものが開示されている（例えば、特許文献１参照）。
【０００３】
また、下面を開放したほぼ箱状の基台と、この基台の下面に取着され上面を開放したほぼ箱状の底板とからなり、基台部の後部には、基台と底板との間に形成された空間を利用した電源コード収納部を備えており、この電源コード収納部に連通させて基台部の後面に開口部を設け、この開口部は、開閉可能な蓋によって閉鎖され、蓋には、電源コードを挿通できるようにした切欠きを設けた扇風機が開示されている（例えば、特許文献２参照）。
【先行技術文献】
【特許文献】
【０００４】
【特許文献１】特開平０８−３０３３８５号公報（要約、図１、２）
【特許文献２】実願昭６３−８４４８５号（実開平２−７３９６号）のマイクロフィルム（第４、５頁、第１、２図）
【発明の概要】
【発明が解決しようとする課題】
【０００５】
しかしながら、上記特許文献１に記載された従来の技術によれば、電源コード固定リブを設けているが、電源コード固定リブは、電源コード収納部内へ突出している。そのため、電源コードの収納スペースが狭くなり、また、電源コード収納時の作業性が悪い、という問題があった。また、上記特許文献２に記載された従来の技術は、構造が複雑でコストが高い、という問題があった。
【０００６】
本発明は、上記に鑑みてなされたものであって、電源コードの収納スペースが広く、電源コード収納時の作業性がよく、コストの低い扇風機を得ることを目的とする。
【課題を解決するための手段】
【０００７】
上述した課題を解決し、目的を達成するために、本発明は、モータ、ファン及びファンガードを有する送風機部と、前記モータを支持する支柱と、下方が開放され外周部に互いに離間して複数の低い脚部が設けられ、前記支柱を支持する盤状のスタンドベース部と、前記スタンドベース部の下面に設置され前記モータを制御する電子回路基板と、前記電子回路基板及びスタンドベース部の下面を覆う底板と、前記電子回路基板に接続され前記底板に形成された開口を通し前記複数の脚部の間から外部に引出される電源コードと、を備える扇風機であって、前記開口の前記脚部から周方向に離れた縁部に、前記電源コードを差込んで保持する溝を設けたことを特徴とする。
【発明の効果】
【０００８】
本発明によれば、電源コードの収納スペースが広く、電源コード収納時の作業性がよく、コストの低い扇風機が得られる、という効果を奏する。
【図面の簡単な説明】
【０００９】
【図１】図１は、本発明にかかる扇風機の実施の形態１を示す下方斜視図である。
【図２】図２は、実施の形態１の電源コード収納部の拡大斜視図である。
【図３】図３は、本発明にかかる扇風機の実施の形態２を示す下方斜視図である。
【図４】図４は、実施の形態２の扇風機のベースを取外した状態を示す分解斜視図である。
【図５】図５は、実施の形態２の電源コード収納部の拡大斜視図である。
【発明を実施するための形態】
【００１０】
以下に、本発明にかかる扇風機の実施の形態を図面に基づいて詳細に説明する。なお、この実施の形態によりこの発明が限定されるものではない。
【００１１】
実施の形態１．
図１は、本発明にかかる扇風機の実施の形態１を示す下方斜視図であり、図２は、実施の形態１の電源コード収納部の拡大斜視図である。図１及び図２に示すように、実施の形態１の扇風機９１は、モータ１１、ファン１２及びファンガード１３を有する送風機部１４と、モータ１１を支持する支柱１５ａと、下方が開放され外周部に互いに離間する複数の低い脚部１５ｂ（床面に接地する）が設けられ、支柱１５ａを支持する盤状のスタンドベース部１５ｃと、スタンドベース部１５ｃの下面に設置されモータ１１を制御する電子回路基板１６と、電子回路基板１６及びスタンドベース部１５ｃの脚部１５ｂの内側を下方から覆う底板１７と、電子回路基板１６に接続され、底板１７に形成された開口１７ａを通し、脚部１５ｂの間を通して外部に引出される電源コード１８と、を備えている。支柱１５ａとスタンドベース部１５ｃは、スタンド１５を構成している。
【００１２】
スタンドベース部１５ｃと底板１７の間には、電子回路基板１６及び電子回路基板１６に接続される電源コード１８を折り曲げて収納可能な間隙が設けられ、底板１７の開口１７ａの奥が、電源コード１８の収納スペースとなっている。
【００１３】
底板１７の開口１７ａの、脚部１５ｂから周方向に離れた縁部に、電源コード１８を差込んで保持する溝１７ｂが設けられている。溝１７ｂの差込口１７ｃは、幅狭に形成され、電源コード１８の厚さより僅かに広く電源コード１８の幅より狭い寸法となっていて、溝１７ｂに差込まれた電源コード１８が、容易に外れないようになっている。
【００１４】
また、底板１７の開口１７ａの、溝１７ｂが設けられた縁部とは異なる縁部に、プレスにより開口１７ａを打抜くときに、切起こし壁１７ｅを形成し、切起こし壁１７ｅに、コード通し口１７ｆを設け、コード通し口１７ｆと溝１７ｂとを結ぶ直線が、脚部１５ｂと交差しないようにする。なお、コード通し口１７ｆには、電源コード１８を傷つけないための処理が施されている。また、底板１７を樹脂成型品とし、切起こし壁１７ｅ及びコード通し口１７ｆを一体成型することもできる。
【００１５】
扇風機９１の使用開始時は、電源コード１８を収納スペースから引出し、差込口１７ｃから溝１７ｂに引っ掛ける。コード通し口１７ｆと溝１７ｂとを結ぶ直線が、脚部１５ｂと交差しないようになっているので、電源コード１８は、二つの脚部１５ｂの間から引出され、脚部１５ｂに踏まれることはない。
【００１６】
以上説明したように、実施の形態１の扇風機９１は、底板１７に形成された開口１７ａの奥に電源コード１８の収納スペースを設け、開口１７ａの、脚部１５ｂから周方向に離れた縁部に、電源コード１８を差込んで保持する溝１７ｂを設け、また、開口１７ａの、溝１７ｂが設けられた縁部とは異なる縁部に、プレスにより開口１７ａを打抜くときに、切起こし壁１７ｅを形成し、切起こし壁１７ｅに、コード通し口１７ｆを設け、コード通し口１７ｆと溝１７ｂとを結ぶ直線が、脚部１５ｂと交差しないようにしたので、電源コード１８の収納スペースが広く、電源コード１８収納時の作業性がよく、低コストで製造することができる。
【００１７】
実施の形態２．
図３は、本発明にかかる扇風機の実施の形態２を示す下方斜視図であり、図４は、実施形態２の扇風機のベースを取外した状態を示す分解斜視図であり、図５は、実施形態２の電源コード収納部の拡大斜視図である。図３〜図５に示すように、実施の形態２の扇風機９２は、モータ２１、ファン２２及びファンガード２３を有する送風機部２４と、モータ２１を支持する支柱２５ａと、を備えている。支柱２５ａの下部には、下方が開放された略方形盤状のスタンドベース部２５ｃが固定されている。支柱２５ａとスタンドベース部２５ｃは、スタンド２５を構成している。
【００１８】
スタンドベース部２５ｃの下面の略中央には、モータ２１を制御する電子回路基板２６が設置されている。電子回路基板２６及びスタンドベース部２５ｃの下面は、下方から底板２７により覆われている。底板２７の一側には、電子回路基板２６に接続された電源コード２８を引出す方形の開口２７ａが設けられている。
【００１９】
スタンドベース部２５ｃと底板２７の間には、電子回路基板２６及び電子回路基板２６に接続された電源コード２８を折り曲げて収納可能な間隙が設けられ、底板２７の開口２７ａの奥が、電源コード２８の収納スペースとなっている。底板２７の開口２７ａの、中央側の縁部に、プレスにより開口２７ａを打抜くときに、切起こし壁２７ｅを形成し、切起こし壁２７ｅに、コード通し口２７ｆを設けている。なお、コード通し口２７ｆには、電源コード２８を傷つけないための処理が施されている。また、底板２７を樹脂成型品とし、切起こし壁２７ｅ及びコード通し口２７ｆを一体成型することもできる。
【００２０】
スタンドベース部２５ｃには、底板２７を間に挟むように、固定ナット３０により、円盤形のベース２９が取付けられる。ベース２９の外周部には、互いに離間する複数の低い脚部２９ｅ（床面に接地する）が設けられている。
【００２１】
ベース２９の、底板２７の開口２７ａに重なる部位には、ベース開口２９ａが設けられている。ベース開口２９ａの、脚部２９ｅから周方向に離れた縁部に、電源コード２８を差込んで保持する溝２９ｂが設けられている。溝２９ｂの差込口２９ｃは、幅狭に形成され、電源コード２８の厚さより僅かに広く電源コード２８の幅より狭い寸法となっていて、溝２９ｂに差込まれた電源コード２８が、容易に外れないようになっている。また、底板２７の開口２７ａのコード通し口２７ｆとベース開口２９ａの溝２９ｂとを結ぶ直線が、脚部２９ｅと交差しないように、コード通し口２７ｆ及び溝２９ｂを配置する。
【００２２】
実施の形態２の扇風機９２の使用開始時は、電源コード２８を収納スペースから引出し、差込口２９ｃから溝２９ｂに引っ掛ける。コード通し口２７ｆと溝２９ｂとを結ぶ直線が、脚部２９ｅと交差しないので、電源コード２８は、二つの脚部２９ｂの間から引出され、脚部２９ｂに踏まれることはない。
【００２３】
以上説明したように、実施の形態２の扇風機９２は、底板２７に形成された開口２７ａの奥に電源コード２８の収納スペースを設け、ベース開口２９ａの、脚部２９ｅから周方向に離れた縁部に、電源コード２８を差込んで保持する溝２９ｂを設け、また、底板２７の開口２７ａの、中央側の縁部に、プレスにより開口２７ａを打抜くときに、切起こし壁２７ｅを形成し、切起こし壁２７ｅに、コード通し口２７ｆを設け、コード通し口２７ｆと溝２９ｂとを結ぶ直線が、脚部２９ｅと交差しないようにしたので、電源コード２８の収納スペースが広く、電源コード２８収納時の作業性がよく、低コストで製造することができる。
【産業上の利用可能性】
【００２４】
以上のように、本発明にかかる扇風機は、電源コードの取扱いが容易な扇風機として有用である。
【符号の説明】
【００２５】
１１、２１  モータ
１２、２２  ファン
１３、２３  ファンガード
１４、２４  送風機部
１５、２５  スタンド
１５ａ、２５ａ  支柱
１５ｂ、２９ｅ  脚部
１５ｃ、２５ｃ  スタンドベース部
１６、２６  電子回路基板
１７、２７  底板
１７ａ、２７ａ  開口
１７ｂ、２９ｂ  溝
１７ｃ、２９ｃ  差込口
１７ｅ、２７ｅ  切起こし壁
１７ｆ、２７ｆ  コード通し口
１８、２８  電源コード
２９  ベース
２９ａ  ベース開口
３０  固定ナット
９１、９２  扇風機
【図１】
2010203243.tif 000003
【図２】
2010203243.tif 000004
【図３】
2010203243.tif 000005
【図４】
2010203243.tif 000006
【図５】
2010203243.tif 000007